(57)【要約】【課題】ＬＥＤライト放熱構造を提供する。【解決手段】ＬＥＤライト放熱構造であって、主に１つ或いは１つ以上の固定板及び該固定板に挿し込むための下定位板と該固定板の天辺に連結する上定位板が設けられており、その中、該固定板及び上・下定位板の表面に金属層が設けられている。複数のＬＥＤ接続脚を該金属層に溶接し、そして該上定位板に複数の通気穴が設けられ、及び上定位板の底縁側にロール状の金属放熱板が設けられ、ＬＥＤライトを構成する。そのため、ＬＥＤのライトアップ時、その作業熱は固定板及び上・下定位板の金属層で形成した伸び面積、及び放熱板で放熱できる。且つ上定位板の金属層にある通気穴でライトカバー中の空気を対流させ、ライト台の割れ穴や開け穴を用いて、ライトカバー中・外の空気の交換・放熱を構成する。そのため、ＬＥＤライトの体積を縮小でき、且つ放熱構造が更にシンプルで、コストが更に低廉になる。【選択図】図２
2011070986.tif 000002
【特許請求の範囲】
【請求項１】
一種のＬＥＤライト放熱構造であって、
複数の固定板には金属層が設けられており、１つ或いは１つ以上のＬＥＤを該金属層に溶接し、
上定位板は固定板の天辺に位置を固定させるために設けられており、その部分には金属層が設けられ、１つ或いは１つ以上のＬＥＤの接続脚を該金属層に溶接し、そして該金属層に複数の細かい通気穴が設けられ、
放熱板は上定位板の底縁側に設けられており、下定位板は固定板に挿し込むために設けられており、その部分には金属層が設けられ、１つ或いは１つ以上のＬＥＤの接続脚を該金属層に溶接し、
前述パーツの組み合わせにより、下定位板を１つのライト台に固定することにより、１つのＬＥＤライトを構成する。該ＬＥＤがライトアップ時、その作業熱は固定板及び上・下定位板に設けられている金属層で形成した伸び面積、及び放熱板で放熱され、
且つ上定位板の金属層にある通気穴やライト台の開け穴を用いて、空気の対流を形成させ、そのため、ＬＥＤライトの体積を縮小でき、且つ放熱構造が更にシンプルで、コストが更に低廉になることを含むことを特徴とする、ＬＥＤライト放熱構造である。
【請求項２】
その中、該固定板及び上・下定位板は電路板であり、該金属層は電路板に配置する印刷電路で用いられることを特徴とする、請求項１に記載のＬＥＤライト放熱構造である。
【請求項３】
その中、該金属層は片面或いは両面で使用され、放熱の面積をアップさせることを特徴とする、請求項１に記載のＬＥＤライト放熱構造である。
【請求項４】
その中、上定位板の底縁側に設けられている放熱板は棒形で、それをロール状に巻き回し、放熱の面積をアップさせることを特徴とする、請求項１に記載のＬＥＤライト放熱構造である。
【請求項５】
その中、該放熱板或いは金属層は銅箔に用いられ、放熱の効率をアップさせることを特徴とする、請求項１に記載のＬＥＤライト放熱構造である。
【請求項６】
一種のＬＥＤライト放熱構造であって、
固定板には金属層が設けられ、１つ或いは１つ以上のＬＥＤを該金属層に溶接し、該金属層に複数の細かい通気穴が設けられ、
放熱板は固定板の金属層の下に伸び、上述したパーツの組み合わせにより、下定位板でライト台に固定させ、１つのＬＥＤライトを構成し、
該ＬＥＤがライトアップ時、その作業熱は固定板及び上・下定位板の金属層で形成した伸び面積、及び放熱板で放熱でき、
そのため、ＬＥＤライトの体積を縮小でき、且つ放熱構造が更にシンプルで、コストが更に低廉になることを特徴とする、ＬＥＤライト放熱構造である。
【請求項７】
その中、固定板から下に伸びる該放熱板は棒形であり、それをロール状に巻き回し、放熱の面積をアップさせることを特徴とする、請求項６に記載のＬＥＤライト放熱構造である。
【請求項８】
その中、該放熱板或いは金属層は銅箔に用いられ、放熱の効率をアップさせることを特徴とする、請求項６に記載のＬＥＤライト放熱構造である。
【発明の詳細な説明】
【技術分野】
【０００１】
この発明は一種のＬＥＤライト放熱構造の改良に係り、特に一種構造がシンプルで、コストが低廉であり、放熱効果も良く、且つ体積を縮小できるＬＥＤライト放熱構造に関するものである。
【背景技術】
【０００２】
ＬＥＤライトは省エネルギー・高度な照明などのメリットがあり、そのため近年幅広く開発され、各種異なる商品に応用されている。しかしＬＥＤパーツがライトアップ時に相当な高熱度を発生することがあり、それがＬＥＤの使用寿命に影響を及ぼし、更に損壊にも繋がる可能性がある。そのため、一般的なＬＥＤライトには全て放熱構造が設けられており、熱度を発散させ、正常な動作機能を保っている。一般的に知られるＬＥＤライトの放熱構造は、通常面積の大きいアルミ質の放熱板を用い、メイン放熱の機能を果たすが、その代り製品の体積は縮小できなくなり、そしてアルミ質が本来吸熱効果を持っていることから、放熱効果が最適ではなく、また体積の大きいアルミ質放熱板はコストも高く、理想な商品ではないことが分かった。本出願人は、これらの点をふまえ、該営業を多年携わってきた経験により、幾つもの研究や実験を繰り返し、ついにある一種の構造がシンプルで、コストが低廉且つ体積が縮小できるＬＥＤライト放熱構造の改良を考え出したのである。
【発明の概要】
【発明が解決しようとする課題】
【０００３】
前述のＬＥＤライト放熱構造の改良には、１つ或いは１つ以上の固定板が設けられており、及び１つの該固定板に差し置くための下定位板と、１つの固定板の天辺に連結する上定位板が設けられており、そのうち、該固定板及び上・下定位板の表面には金属層が設けられている。それらで複数のＬＥＤ接続脚を金属層に溶接させ、そして該上定位板に複数の通気穴が設けられており、及び上定位板の底縁側に放熱板が設けられ、１つのＬＥＤライトを構成する。そのため、ＬＥＤのライトアップ時、その作業熱を固定板及び上・下定位板の金属層で形成した伸び面積、及び放熱板で放熱できる。且つ上定位板の金属層にある通気穴でライトカバー中の空気を対流させ、ライト台の割れ穴や開け穴を用いて、ライトカバー中・外の空気の交換・放熱を構成する。そのため、ＬＥＤライトの体積を縮小でき、且つ放熱構造が更にシンプルになり、コストが更に低廉になる。
【課題を解決するための手段】
【０００４】
前述のＬＥＤライト放熱構造の改良に基づき、そのうち、該固定板及び上・下定位板は電路板であり、該金属層は電路板に配置する印刷電路で用いられる。
【０００５】
前述のＬＥＤライト放熱構造の改良に基づき、そのうち、該金属層は片面或いは両面で使用され、放熱の面積をアップさせる。
【０００６】
前述のＬＥＤライト放熱構造の改良に基づき、そのうち、上定位板の底縁側に設けられている放熱板は棒形で、それをロール状に巻き回し、放熱の面積をアップさせ、且つ金属の熱を受ける時の延性と展性を利用し、空気の対流効果を発生するのに用いられる。
【発明の効果】
【０００７】
上述内容をまとめ、この発明では金属層の複数の固定板及び上・下定位板が設けられていることから、上定位板に設けられている放熱板と合せ、ＬＥＤライト放熱構造を構成し、ＬＥＤライトの放熱構造が更なるシンプルで、コストが更に低廉になり、放熱効果が更に良くなり、且つその体積を縮小でき、製品の競争力をアップさせる。これは実用性のある設計で、１つの新しい発明であるため、法律に基づき特許を出願する。どうぞ審査を進め、早めに特許をいただけますよう宜しくお願い致します。
【図面の簡単な説明】
【０００８】
【図１】この発明の立体図である。
【図２】この発明のＬＥＤライトの組立て立体図である。
【図３】この発明のもう１つのＬＥＤライトの組立て立体図である。
【図４】この発明の放熱板の立体図である。
【図５】この発明の放熱実施例図である。
【図６】この発明のもう１つのＬＥＤ組立て実施例の立体図である。
【発明を実施するための形態】
【０００９】
同時に図１及び図２、図３を参考してください。それらはこの発明の立体図及びＬＥＤライトの組立て立体図である。図で示したように、この発明には１つ或いは１つ以上の固定板１が含まれており、及び１つの該固定板１に挿し込むための下定位板２、１つの該固定板１の天辺に連結する上定位板３が含まれている。そのうち、該固定板１には金属層１１が設けられており、複数のＬＥＤ４の接続脚を該金属層１１に溶接させる。本実施例の中、該金属層１１は電路板に配置する印刷電路で用いられる。且つ該金属層は片面或いは両面で使用される。
【００１０】
該上定位板３は固定板１の天辺に挿し込ませ定位させる。それには金属層３１を設けられており、複数のＬＥＤ４の接続脚を該金属層３１に溶接させ、該金属層３１は電路板に配置する印刷電路であり、且つ片面或いは両面で使用される。該上定位板３及び金属層３１には複数の細かい通気穴３２が設けられている。
【００１１】
１つの放熱板５が上定位板の底縁側に設けられており、それは棒形の金属材質であり、片端を上定位板３に溶接させ、もう片端は内側にロール状に巻き込んでいく。
【００１２】
該下定位板２は固定板１に挿し込むために設けられており、その上金属層２１が設けられており、複数のＬＥＤ４の接続脚を該金属層２１に溶接させ、該金属層２１は電路板に配置される印刷電路であり、且つ片面或いは両面で使用される。
【００１３】
１つのライト台６は、その上に１つのライトカバー６１が設けられており、下には周知ライトのロック部６２が設けられている。ライトカバー６１には複数の開け穴６３が設けられており、及びロック部やライト台６の連結部分には割れ穴６４が設けられている。
【００１４】
前述パーツの組み合わせにより、下定位板２を１つのライト台６に固定させることにより１つのＬＥＤライトを構成する。該ＬＥＤ４がライトアップ時、その作業熱を固定板１及び上・下定位板３・２の金属層１１、３１、２１で形成した延び面積、及び放熱板５により放熱させ、且つ上定位板３の通気穴３２を用い、ライトカバー中の上下空気温度差によって対流を発生させる。引き続き開け穴６３及び割れ穴６４の構造で、ライトカバー中や外の空気を交換させ、放熱効果を達成させる。そのため、ＬＥＤライトの体積を縮小でき、且つ放熱構造が更にシンプルで、コストが更に低廉となる。
【００１５】
図４を参考してください。それはこの発明の放熱板の立体図である。図で示したように、この発明の放熱板５では、棒形の金属材質であり、片端を固定板３に溶接させ、もう片端はスペースを占めぬよう、ロール状になるまで内側に渦巻き方法で何周も巻き込んでいき、且つ高温が放熱板５に沿って拡散する時、その巻き部分は相当大きな面積であるため、高温部が適切に延長し、温度を更に均等に分布させ、空気の対流を形成させ、高放熱の効率を促進する。
【００１６】
図５を参考してください。それはこの発明の放熱実施例図である。図で示したように、この発明の該ＬＥＤ４はライトアップ時、全体のＬＥＤライトが低温エリア（外部）、中温エリア（内部）及び高温エリア（上部）を形成する。該温度は固定板１及び上・下定位板３・２の金属層１１、３１、２１で形成した延び面積で発散される他、上定位板３の通気穴３２やライト台６の開け穴６３及び割れ穴６４で、空気を上から下に対流及び交換を形成させ、高温を外に発散させる。そして上定位板３の底縁側に設けられた放熱板５では、ロール状の加入面積により、熱温度を該面積に沿って延ばし、更に良い放熱効果を達成する。そして大きな体積の放熱板を必要としないため、全体のＬＥＤライトの体積を縮小できる。
【００１７】
図６を参考してください。これはこの発明のもう１つのＬＥＤライト組立て実施例の立体図である。図で示したように、この発明のもう１つの実施例では、固定板１が設けられており、固定板１に金属層１１が設けられており、ＬＥＤ４の接続脚を該金属層１１に溶接させ、両側には別々に放熱板５が設けられており、放熱板５を下にロール状で巻き延ばし、その面積を拡大させ、熱温度をその面積に沿って延ばし、更に良い放熱効果を達成する。
【００１８】
前述各実施例では、その中の放熱板は異なる延性や展性を持つタイプに設けることができ、且つこの発明の金属層及び放熱板は銅箔で実施例を用い、銅箔がより良い熱伝導及び延性や展性を持つことを利用し、放熱効果を達成させる。この他により良い熱伝導性及び延性や展性を持つ金属でも、この発明で示した構造で実施できる。そのため、前述の実施例はただこの発明のより良い方法を説明したにすぎず、この発明を限定するものではない。本発明の特許請求の範囲は、この発明の中心や精神範疇を脱しない範囲内で加えられる各種修正・変更も含めて、広く解釈されるべきである。
【符号の説明】
【００１９】
１        固定板
１１      金属層
２１      金属層
３１      金属層
２        下定位板
３        上定位板
３２      通気穴
４        ＬＥＤ
５        放熱板
６        ライト台
６１      ライトカバー
６２      ロック部
６３      開け穴
６４      割れ穴
【図１】
2011070986.tif 000003
【図２】
2011070986.tif 000004
【図３】
2011070986.tif 000005
【図４】
2011070986.tif 000006
【図５】
2011070986.tif 000007
【図６】
2011070986.tif 000008